(57)【要約】      （修正有）【課題】設置に必要な高さ方向の空間が小さくて、かつ、収納量が大きな物品陳列箱を提供すること。【解決手段】物品陳列箱１０が、複数の物品１００を収納する中空直方体状の本体１２を有している。本体は、正面壁１４、該正面壁に対して平行に対面する背面壁、正面壁と背面壁の間に延在し互いに平行に対面する上側壁１８、下側壁２０、および、右側壁２２、左側壁２４を備え、右側壁および左側壁に平行に延在する複数の仕切壁が本体内に配置され、隣接する仕切壁の間に収納溝が形成される。正面壁が、収納溝の各々内に収納された複数の物品のうち最下段の物品が露出するようにした開口部２６を有している。物品陳列箱は、支持部３２によって、傾斜させて設置面１１０上に支持される。【選択図】図１
0003220200.tif 000002
【実用新案登録請求の範囲】
【請求項１】
中空直方体状の本体内に複数の物品を収納して設置面上に配置し、物品を陳列するようにした物品陳列箱において、
前記本体は、正面壁、該正面壁に対して平行に対面する背面壁、正面壁と背面壁の間に延在し互いに平行に対面する上側壁、下側壁、右側壁および左側壁を備え、
前記物品陳列箱は、前記本体内に配置され前記右側壁および左側壁に平行に延在する複数の仕切壁を有し、隣接する仕切壁の間に収納溝が形成されており、
該収納溝の各々に複数の前記物品が収納され、
前記正面壁が、前記収納溝の各々内に収納された複数の物品のうち最下段の物品が露出する寸法にて形成され、かつ、前記下側壁に隣接させて配置された開口部を有しており、
前記物品陳列箱が、前記本体を前記設置面上に配置したときに、前記正面壁が手前側に下がるように、前記本体を傾斜させて前記設置面上に支持する支持部を具備することを特徴とした物品陳列箱。
【請求項２】
前記開口部は、前記下側壁に平行に延びる上縁部を有している請求項１に記載の物品陳列箱。
【請求項３】
前記右側壁および左側壁は、その上縁部において、前記下側壁と前記開口部の上縁部との間が部分的に切り欠かれており段差部が形成されている請求項２に記載の物品陳列箱。
【請求項４】
前記仕切壁は、前記本体内に配置されるインサートによって形成されている請求項１に記載の物品陳列箱。
【請求項５】
前記仕切壁の各々は、その上縁部において、少なくとも前記開口部から露出する部分が切り欠かれて段差部が形成されている請求項１に記載の物品陳列箱。
【請求項６】
前記正面壁、背面壁、右側壁、左側壁の上縁部によって、前記本体内に前記物品を挿入する物品挿入口が画成され、
前記上側壁が、前記正面壁に回動可能に連結されたフラップによって形成されており、該フラップによって、前記物品挿入口が開閉可能に閉塞されるようにした請求項１に記載の物品陳列箱。
【請求項７】
前記正面壁に略平行な平面内に配置される延長部を有し、前記開口部の下縁部に着脱可能に装着されるスカート部を更に具備する請求項１に記載の物品陳列箱。
【考案の詳細な説明】
【技術分野】
【０００１】
本考案は、複数の物品を収納、陳列する物品陳列箱に関する。
【背景技術】
【０００２】
販売店で商品を陳列するために、厚紙を折曲げ加工して製作され商品を上下方向に複数段に陳列可能な什器または商品陳列箱が従来から用いられている。例えば、非特許文献１には、設置面から上方に延びる中空の筐体の正面の下端部に開口部を形成し、筐体内に複数の商品を鉛直方向に収納するようにした商品陳列箱が開示されている。
【先行技術文献】
【非特許文献】
【０００３】
【非特許文献１】意匠登録第１３２１９６２号公報
【考案の概要】
【考案が解決しようとする課題】
【０００４】
これまでの商品陳列箱は、複数の商品を鉛直方向に一列に収納するようになっているので収納量が少なく、また、高さ方向の寸法が大きくなりがちになる問題がある。また、複数の商品を鉛直方向に積み上げた商品を下から取り出すときに、上側の商品が勢いよく落下する問題がある。
【０００５】
本考案は、こうした従来技術の問題を解決することを技術課題としており、設置に必要な高さ方向の空間が小さくて、かつ、収納量が大きな物品陳列箱を提供することを目的としている。
【課題を解決するための手段】
【０００６】
上述の問題を解決するために、本考案によれば、中空直方体状の本体内に複数の物品を収納して設置面上に配置し、物品を陳列するようにした物品陳列箱において、前記本体は、正面壁、該正面壁に対して平行に対面する背面壁、正面壁と背面壁の間に延在し互いに平行に対面する上側壁、下側壁、右側壁および左側壁を備え、前記物品陳列箱は、前記本体内に配置され前記右側壁および左側壁に平行に延在する複数の仕切壁を有し、隣接する仕切壁の間に収納溝が形成されており、該収納溝の各々に複数の前記物品が収納され、前記正面壁が、前記収納溝の各々内に収納された複数の物品のうち最下段の物品が露出する寸法にて形成され、かつ、前記下側壁に隣接させて配置された開口部を有しており、前記物品陳列箱が、前記本体を前記設置面上に配置したときに、前記正面壁が手前側に下がるように、前記本体を傾斜させて前記設置面上に支持する支持部を具備することを特徴とした物品陳列箱が提供される。
【考案の効果】
【０００７】
本考案によれば、物品陳列箱の本体が複数の収納溝を有し、該収納溝の各々に複数の物品を収納するようにしたので、従来の商品陳列箱よりも多くの物品を収納することが可能となる。
【０００８】
本考案によれば、本体は手前側が下がるように設置面上に配置されるので、設置に必要な高さ方向の空間が小さくてすむ。また、非特許文献１に開示の商品陳列箱のように、勢いがついて物品が上から落下することがなく物品は緩やかに落下する。
【図面の簡単な説明】
【０００９】
【図１】本考案の好ましい実施形態による物品陳列箱の斜視図である。
【図２】図１の物品陳列箱から物品を取り除いて示す斜視図である。
【図３】図１の物品陳列箱の左側面図である。
【図４】図１の物品陳列箱の上側壁を形成するフラップを開いて、本体の物品挿入口を示す斜視図である。
【図５】図１の物品陳列箱の開口部の一部を拡大して仕切壁を示す部分拡大斜視図である。
【図６】図１の物品陳列箱から物品を取り出す様子を示す部分拡大斜視図である。
【考案を実施するための形態】
【００１０】
以下、添付図面を参照して、本考案の好ましい実施形態を説明する。
物品陳列箱１０は中空直方体状の本体１２と、本体１２を傾斜した状態で支持する支持部３２とを備えている。本体１２は、正面壁１４、正面壁１４に対向する背面壁１６、正面壁１４と背面壁１６との間に延在する上側壁１８、下側壁２０、右側壁２２、左側壁２４を有している。本体１２は、例えば所定形状に裁断された一枚の厚紙（ブランク）を折り曲げて形成することができる。
【００１１】
物品陳列箱１０は、商店等の商品陳列棚やカウンター、テーブル等の設置面１１０上に配置したときに、背面壁１６が設置面１１０に対面する。このとき、支持部３２は、背面壁１６と設置面１１０との間に配置される。支持部３２は、断面が斜辺を有した三角形または台形の角柱状の箱体から形成することができ、本体１２を設置面１１０に対して前記斜辺によって規定される所定の傾斜角にて支持する。
【００１２】
中空の本体１２内には、上側壁１８と下側壁２０との間で右側壁２２および左側壁２４に平行に延びる複数の、本実施形態では、４枚の仕切壁２８が延在している。仕切壁２８によって、本体１２内の空間が複数の、本実施形態では、５つの収納溝３０が画成される。仕切壁２８は、複数の仕切壁２８に相当する複数の立壁部４２と、隣接する立壁部４２の間に該立壁部４２に対して垂直に延在する底壁部４４とを有するインサート４０を本体１２内に挿入することによって形成することができる。インサート４０は、例えば、所定形状に裁断された一枚の厚紙（ブランク）を折り曲げて形成することができる。この場合、立壁部４２は厚紙二枚分の厚さとなる。
【００１３】
また、本体１２は、少なくとも正面壁１４において下側壁２０に隣接した下端部分が、下側壁２０に平行な直線（後述する開口部２６の上縁部２５）に沿って切り欠かれており、これによって矩形の開口部２６が形成される。好ましくは、右側壁２２および左側壁２４の上縁部において、下側壁２０と開口部２６の上縁部２５との間が部分的に切り欠いて段差部２６ａを設けて、開口部２６を単に平坦な開口部ではなく立体的な開口部とする。同様に、仕切壁２８の高さも、開口部の段差部の寸法に合わせることが好ましい。そのために、仕切壁２８の上縁部において、開口部２６から露出する部分を切り欠いて、段差部２８ａを形成するようにできる。
【００１４】
また、下側壁２０にはスカート部３４を取り付けることができる。スカート部３４は、延長部３４ａと挿入部３４ｂ（図６）とを有するように、所定形状（例えば矩形）に裁断された厚紙（ブランク）を側面視で「く」の字形に折り曲げて形成することができる。挿入部３４ｂを下側壁２０の内面に沿わせて開口部２６から本体１２内に挿入して、スカート部３４を本体１２に装着することができる。そのために、スカート部３４は、開口部２６の下縁部に着脱可能に装着することができる。スカート部３４を本体１２に装着すると、好ましくは、延長部３４ａは正面壁１４と面一に配置される。延長部３４ａは正確に正面壁１４と面一に配置される必要はなく、略平行な平面内に配置され、正面壁１４または開口部２６から露出する収納溝３０内の物品１００を見る者が、同時に延長部３４ａの表面を見ることができるように配置されればよい。
【００１５】
図４に示すように、正面壁１４、背面壁１６、右側壁２２および左側壁２４の上縁部によって、本体１２内に物品１００を挿入する物品挿入口が画成され、該物品挿入口を通して各収納溝３０を見通せるようになっている。該物品挿入口は、上側壁１８を形成するフラップ１８ａによって、開閉可能に閉塞される。フラップ１８ａは、正面壁１４に回動可能に連結されている。
【００１６】
本体１２内には複数の物品１００（図１、５）が収納される。より詳細には、図４に示すように、上側壁１８を形成するフラップ１８ａを開いて、各収納溝３０内に複数の物品１００を収納する。物品１００は、商品や景品、販促ノベルティその他の物品（商品等と記載する）とすることができる。図１、５において、物品１００は、収納溝３０のサイズに適合した大きさの立方体形を呈しているが、収納溝３０内に収納可能で、かつ、後述するように開口部２６から取り出せる寸法を有していれば、立方体に限定されず、例えば直方体、球体その他の回転体、三角錐その他の錐体、五角柱その他の柱体、正二十面体その他の多面体とすることができる。物品１００は、それ自体を商品等とすることができるが、中空の箱体として、内部に商品等を収納するようにできる。
【００１７】
なお、図面では物品陳列箱１０の本体１２、スカート部３４、物品１００は線画で描かれているが、その表面に模様や装飾を施したり、物品１００を形成する商品等に関連したキャラクタ等を描いたり、販売キャンペーンや宣伝等に関する情報等を記載することができる。
【００１８】
本実施形態では、物品１００は本体１２内に収納される。より詳細には、上側壁１８を形成するフラップ１８ａを開いて、各収納溝３０の上端から各収納溝３０内に複数の物品１００が収納、セットされる。本体１２内に物品１００を収納した後に、物品陳列箱１０を設置面１１０上に配置すると、正面壁１４が手前側に下がるように、本体１２が傾斜して配置される。そのとき、各収納溝３０内の最下段に配置されている物品１００が開口部２６から露出する。
【００１９】
このように、正面壁１４が手前側に下がるように、本体１２を設置面１１０に対して傾斜させて配置することによって、スカート部３４を配置することが可能となる。スカート部３４の延長部３４ａを手前側に延長、配置することによって、模様や装飾を施したり、物品１００を形成する商品等に関連したキャラクタ等を描いたり、販売キャンペーンや宣伝等に関する情報等を記載する表面を増加することが可能となる。
【００２０】
物品１００は、図６に示すように、最下段に配置されている物品１００の１つを指で保持して、収納溝３０から取り出される。そのために、開口部２６は、上縁部２５と下側壁２０との距離が物品１００の高さよりも長いことが必要である。最下段の物品１００を収納溝３０から取り出すと、その上に載置されている物品１００が落下し、開口部２６から露出する。例えば、非特許文献１に開示の商品陳列箱のように、物品が垂直にセットされていると、勢いがついて上から落下するが、本実施形態のように斜めにセットすることによって、物品１００は緩やかに落下する。
【００２１】
上側壁１８を形成するフラップ１８ａによって本体１２の上端の開口部を閉じることによって、本体１２内に収納可能な数以上に物品１００を詰め込んで、物品陳列箱１０が設置面１１０に配置されることが防止される。これによって、物品１００が物品陳列箱１０の周囲にこぼれることが防止される。
【００２２】
開口部２６に段差部２６ａを、そして仕切壁２８に段差部２８ａを設けることによって、物品１００を取り出すとき、指で物品１００を保持し易くなる。
【００２３】
なお、正面壁１４と上側壁１８との間の折れ線（正面壁１４の上縁部）は、図示するように直線に限定されず、山形状や円弧状その他の形状とすることができる。
【符号の説明】
【００２４】
１０    物品陳列箱
１２    本体
１４    正面壁
１６    背面壁
１８    上側壁
１８ａ    フラップ
２０    下側壁
２２    右側壁
２４    左側壁
２５    上縁部
２６    開口部
２６ａ    段差部
２８    仕切壁
２８ａ    段差部
３０    収納溝
３２    支持部
３４    スカート部
３４ａ    延長部
３４ｂ    挿入部
４０    インサート
４２    立壁部
４４    底壁部
１００    物品
１１０    設置面
【図１】
0003220200.tif 000003
【図２】
0003220200.tif 000004
【図３】
0003220200.tif 000005
【図４】
0003220200.tif 000006
【図５】
0003220200.tif 000007
【図６】
0003220200.tif 000008